(57)【要約】【課題】セパレータが抜け出し難い、コンクリート型枠用セパレータ連結金具を提供すること。【解決手段】連結金具本体１１の前側面１１４には、ほぼ中央縦方向にセパレータ２の軸部２ａを支持するセパレータ支持溝部１１４Ｃと、右側前側面１１４Ｒと左側前側面１１４Ｌとを形成し、右側前側面１１４Ｒと左側前側面１１４Ｌにはセパレータ支持溝部１１４Ｃの中心に向かって突出する突部１１４Ｒ１，１１４Ｌ１を形成している。突部１１４Ｒ１，１１４Ｌ１先端間の間隔は、セパレータ２の軸部２ａの係止溝２ａ１の外径より小さくしており、かつ、突部１１４Ｒ１と突部１１４Ｌ１の突出高さを変えることにより、突部１１４Ｒ１，１１４Ｌ１の先端部間の中心を、右側前側面１１４Ｒと左側前側面１１４Ｌ部の先端間の中心に対し偏心させる。【選択図】図３
2012117239.tif 000002
【特許請求の範囲】
【請求項１】
所定間隔離された一対のコンクリート型枠に取り付けられ、当該一対のコンクリート型枠間に挿入されるコンクリート型枠用セパレータのナットが螺着された両端部を支持するコンクリート型枠用セパレータ連結金具であって、
コンクリート型枠に挿入され、型枠締付金具により当該コンクリート型枠の外側から締め付け固定されるネジ棒と、
上記ネジ棒先端に取り付けられた後側面と、左右の両側面と、底面と、前側面とを有する上部開放形状で、上記コンクリート型枠用セパレータ端部を支持する連結金具本体とを有し、
上記連結金具本体は、
上記左右の両側面それぞれの一部に切り込みを入れて内側に折り曲げ、上記左右の両側面それぞれから上記連結金具本体内に突出し、その最小間隔が上記コンクリート型枠用セパレータ両端部の外径より小さく、かつ、その先端部により上記ナットより外側に突出する上記コンクリート型枠用セパレータの端部の抜け止めを行う一対の側面折り曲げ部と、
上記一対の側面折り曲げ部と、上記左右の両側面と、上記前側面とにより形成され、上記コンクリート型枠用セパレータ両端部のナットを収容するナット収容部と、
上記前側面の中央を切り欠くことにより形成され、上記ナットより内側の上記コンクリート型枠用セパレータの軸部を支持するセパレータ支持溝部と、そのセパレータ支持溝部の上方に突出して設けられ、その最小間隔が上記コンクリート型枠用セパレータの軸部の外径より小さく、上記ナットより内側の上記コンクリート型枠用セパレータの軸部の抜け止めを行う前側面抜け止め部と、を有し、
上記一対の側面折り曲げ部の先端間の中心は、上記左右の両側面間の中心とほぼ一致している一方、上記前側面抜け止め部の先端間の中心は、上記左右の両側面間の中心に対し偏心している、
ことを特徴とするコンクリート型枠用セパレータ連結金具。
【請求項２】
請求項１に記載のコンクリート型枠用セパレータ連結金具において、
上記前側面抜け止め部の先端部は、
上記側面折り曲げ部の先端部より低い位置になるように設ける、
ことを特徴とするコンクリート型枠用セパレータ連結金具。
【請求項３】
請求項１または請求項２に記載のコンクリート型枠用セパレータ連結金具において、
上記前側面抜け止め部の先端間の中心が、上記左右の両側面間の中心に対し、上記ネジ棒に対する上記型枠締付金具による締め付けにより上記連結金具本体の回転方向側に位置して偏心するように、当該回転方向側とは反対側となる上記前側面抜け止め部の突出高さを、上記回転方向側の上記前側面抜け止め部の突出高さより高くする、
ことを特徴とするコンクリート型枠用セパレータ連結金具。
【請求項４】
請求項１〜請求項３のいずれか一の請求項に記載のコンクリート型枠用セパレータ連結金具において、
上記前側面抜け止め部は、
上記セパレータ支持溝部の中心方向への突出高さが異なる三角形状または台形状の一対の突部により構成される、
ことを特徴とするコンクリート型枠用セパレータ連結金具。
【請求項５】
請求項１〜請求項３のいずれか一の請求項に記載のコンクリート型枠用セパレータ連結金具において、
上記前側面抜け止め部は、
上記セパレータ支持溝部の左右いずれか一方側の内縁から中心に向かって突出して形成された突部と、上記セパレータ支持溝部の他方側の内縁とにより構成される、
ことを特徴とするコンクリート型枠用セパレータ連結金具。
【発明の詳細な説明】
【技術分野】
【０００１】
本発明は、所定間隔離された一対のコンクリート型枠に取り付けられ、当該一対のコンクリート型枠間に挿入されるコンクリート型枠用セパレータのナットが螺着された両端部を支持するコンクリート型枠用セパレータ連結金具に関する。
【背景技術】
【０００２】
所定間隔離された一対のコンクリート型枠に取り付けられ、当該一対のコンクリート型枠間に挿入されるコンクリート型枠用セパレータのナットが螺着された両端部を支持するコンクリート型枠用セパレータ連結金具について、本件出願人は以前出願して公開されており（例えば、特許文献１参照。）、また、他社からも出願されて公開・意匠登録等されている（例えば、特許文献２，３参照。）。
【先行技術文献】
【特許文献】
【０００３】
【特許文献１】特開２００７−０４６３２５号公報
【特許文献２】特開２００７−１５４５１５号公報
【特許文献３】意匠登録第１１４０１３７号公報
【発明の概要】
【発明が解決しようとする課題】
【０００４】
特許文献１に記載の従来のコンクリート型枠用セパレータ連結金具は、基本的には一対の折り曲げ片のみで抜け止めを行うものである。ところが、コンクリート型枠用セパレータを接続する際の極端な施工誤差や、コンクリート打設中のバイブレータなど、想定を超えた使用条件化では、連結金具からコンクリート型枠用セパレータが抜け出すおそれがあり、改善の余地があった。
【０００５】
すなわち、一般的に、一対のコンクリート型枠内面のそれぞれの対向位置に一対の連結金具を設ける場合、必ず、多少の施工誤差が生じ、厳密な同一直線上には取り付けられない。例えば、一組の連結金具の一方が上下方向に大きくずれて取り付けられた場合、コンクリート型枠用セパレータの一方側（先入れ側）の端部を連結金具に打ち込んだ後、他方側（後入れ側）の端部を打ち込む際に、一方側（先入れ側）が、テコの反力によって外れてしまうことがある。
【０００６】
また、上記特許文献２，３の従来技術であっても、左右の両側面それぞれの一部に切り込みを入れて内側に折り曲げて形成したメインストッパーである一対の側面折り曲げ部の他に、連結金具本体の前側面のセパレータ支持溝に突起等のサブストッパーを設けてコンクリート型枠用セパレータの抜け出しを防止するようにしているが、単に上方からコンクリート型枠用セパレータを抑えているに過ぎないため、コンクリートの打設中に、バイブレータ等がコンクリート型枠用セパレータに当たると、その振動によって、コンクリート型枠用セパレータが外れることがあった。特に、壁厚が施工誤差等によりプラスになった場合、上方からコンクリート型枠用セパレータが浮き易く、簡単に外れることがあった。
【０００７】
また、コンクリート型枠用セパレータ連結金具は、コンクリート型枠の外側からフォームタイ（登録商標）等の型枠締付金具により、そのネジ棒を締め付けてコンクリート型枠の内側に固定しているが、その際、コンクリート型枠用セパレータ連結金具が供回りをしてコンクリート型枠に対し斜めに取付けられることがあり、このような場合、上手くコンクリート型枠用セパレータを連結金具本体の前側面のセパレータ支持溝に入れないと、さらに、コンクリート型枠用セパレータ連結金具が緩む方向に回転してしまい、コンクリート型枠用セパレータが外れるおそれがある、という問題もある。
【０００８】
そこで、本発明は、コンクリート型枠用セパレータが抜け出し難い、コンクリート型枠用セパレータ連結金具を提供することを目的とする。
【課題を解決するための手段】
【０００９】
上記目的を達成するため、本発明のコンクリート型枠用セパレータ連結金具は、所定間隔離された一対のコンクリート型枠に取り付けられ、当該一対のコンクリート型枠間に挿入されるコンクリート型枠用セパレータのナットが螺着された両端部を支持するコンクリート型枠用セパレータ連結金具であって、コンクリート型枠に挿入され、型枠締付金具により当該コンクリート型枠の外側から締め付け固定されるネジ棒と、上記ネジ棒先端に取り付けられた後側面と、左右の両側面と、底面と、前側面とを有する上部開放形状で、上記コンクリート型枠用セパレータ端部を支持する連結金具本体とを有し、上記連結金具本体は、上記左右の両側面それぞれの一部に切り込みを入れて内側に折り曲げ、上記左右の両側面それぞれから上記連結金具本体内に突出し、その最小間隔が上記コンクリート型枠用セパレータ両端部の外径より小さく、かつ、その先端部により上記ナットより外側に突出する上記コンクリート型枠用セパレータの端部の抜け止めを行う一対の側面折り曲げ部と、上記一対の側面折り曲げ部と、上記左右の両側面と、上記前側面とにより形成され、上記コンクリート型枠用セパレータ両端部のナットを収容するナット収容部と、上記前側面の中央を切り欠くことにより形成され、上記ナットより内側の上記コンクリート型枠用セパレータの軸部を支持するセパレータ支持溝部と、そのセパレータ支持溝部の上方に突出して設けられ、その最小間隔が上記コンクリート型枠用セパレータの軸部の外径より小さく、上記ナットより内側の上記コンクリート型枠用セパレータの軸部の抜け止めを行う前側面抜け止め部と、を有し、上記一対の側面折り曲げ部の先端間の中心は、上記左右の両側面間の中心とほぼ一致している一方、上記前側面抜け止め部の先端間の中心は、上記左右の両側面間の中心に対し偏心している、ことを特徴とするコンクリート型枠用セパレータ連結金具である。
ここで、上記前側面抜け止め部の先端部は、上記側面折り曲げ部の先端部より低い位置になるように設ける、ようにしても勿論良い。
また、上記前側面抜け止め部の先端間の中心が、上記左右の両側面間の中心に対し、上記ネジ棒に対する上記型枠締付金具による締め付けにより上記連結金具本体の回転方向側に位置して偏心するように、当該回転方向側とは反対側となる上記前側面抜け止め部の突出高さを、上記回転方向側の上記前側面抜け止め部の突出高さより高くする、ようにしても勿論良い。
また、上記前側面抜け止め部は、上記セパレータ支持溝部の中心方向への突出高さが異なる三角形状または台形状の一対の突部により構成される、ようにしても勿論良い。
また、上記前側面抜け止め部は、上記セパレータ支持溝部の左右いずれか一方側の内縁から中心に向かって突出して形成された突部と、上記セパレータ支持溝部の他方側の内縁とにより構成される、ようにしても勿論よい。
【発明の効果】
【００１０】
本発明のコンクリート型枠用セパレータ連結金具では、少なくとも、一対の側面折り曲げ部の先端間の中心は、左右の両側面間の中心とほぼ一致している一方、前側面抜け止め部の先端間の中心は、上記左右の両側面間の中心に対し偏心させているので、セパレータを一対の側面折り曲げ部および前側面抜け止め部の２箇所で係止する場合、その偏心によりセパレータが上方へ抜けようとしたときに効果的に抑止することになるので、従来よりセパレータを強固に支持することができ、バイブレータ等が当ったとしても、セパレータが抜け出し難くなる。
【図面の簡単な説明】
【００１１】
【図１】実施の形態１のコンクリート型枠用セパレータ連結金具とセパレータとをコンクリート型枠に配置した状態を示す断面図である。
【図２】図１におけるＡ部分の部分断面図である。
【図３】本発明にかかる実施の形態１のコンクリート型枠用セパレータ連結金具とセパレータとの外観を示す斜視図である。
【図４】（ａ），（ｂ）は、それぞれ、実施の形態１のコンクリート型枠用セパレータ連結金具の連結金具本体の正面図、平面図の一例を示す図である。
【図５】（ａ），（ｂ）は、それぞれ、図４に示す実施の形態１のコンクリート型枠用セパレータ連結金具の連結金具本体のＢ−Ｂ線断面図、Ｃ−Ｃ線断面図である。
【図６】実施の形態２のコンクリート型枠用セパレータ連結金具の前側面部における前側面抜け止め部の一例を示す図である。
【図７】実施の形態２のコンクリート型枠用セパレータ連結金具の前側面部における前側面抜け止め部の他の例を示す図である。
【図８】実施の形態３のコンクリート型枠用セパレータ連結金具の連結金具本体が傾いて取付けられた例を示す図である。
【図９】実施の形態３のコンクリート型枠用セパレータ連結金具の連結金具本体の前側面部による傾き戻し作用の例を示す図である。
【図１０】（ａ），（ｂ）は、それぞれ、実施の形態３のコンクリート型枠用セパレータ連結金具の前側面部における前側面抜け止め部の他の例を示す図である。
【発明を実施するための形態】
【００１２】
以下、本発明に係るコンクリート型枠用セパレータ連結金具の実施の形態１〜３を、添付図面を参照しながら詳細に説明する。
【００１３】
実施の形態１．
図１は、実施の形態１のコンクリート型枠用セパレータ連結金具１と、セパレータ２とを一対のコンクリート型枠４，４に配置した状態を示す断面図、図２は、図１におけるＡ部分の部分断面図、図３は、本発明にかかる実施の形態１のコンクリート型枠用セパレータ連結金具１とコンクリート型枠用セパレータ（以下、セパレータと略す。）２との外観を示す斜視図である。
【００１４】
図１および図２に示すように、実施の形態１のコンクリート型枠用セパレータ連結金具１は、所定間隔離され、鉄筋５が配筋された対向する一対のコンクリート型枠４，４に取り付けられ、当該一対のコンクリート型枠４，４間に挿入されるセパレータ２の両端部を支持するものである。なお、図１において、６はコンクリート型枠板４の外側からコンクリート型枠用セパレータ連結金具１を取り付けるフォームタイ等の型枠締付金具、７，８はバタ材である。
【００１５】
コンクリート型枠用セパレータ連結金具１は、図２および図３に示すように、両コンクリート型枠板４，４の内側に取り付けられ、それぞれナット２ｃが螺合されているセパレータ２の両端部を支持する連結金具本体１１と、その連結金具本体１１に取付けられてその端部がコンクリート型枠板４を貫通して外側に伸びるネジ棒１２と、そのネジ棒１２に貫通して設けられる金属製円錐台状のコーン部材１３を有する。
【００１６】
連結金具本体１１は、図２および図３に示すように、ネジ棒１２先端に取り付けられる後側面１１１と、左側面１１２Ｌと、右側面１１２Ｒと、底面１１３と、前側面１１４とを有する上部開放形状で構成されている。
【００１７】
連結金具本体１１の後側面１１１には、図２や後述する図５（ｂ）に示すように、係合溝１１１ａが設けられており、その係合溝１１１ａに、ネジ棒１２の一端に設けたくびれ部１２ｃが回転可能に支持される。そして、ネジ棒１２先端の円盤部１２ａが連結金具本体１１内に収納された状態で取り付けられ、その円盤部１２ａが連結金具本体１１の後側面１１１に当り、連結金具本体１１からのネジ棒１２の抜け止めを図っている。なお、本発明では、ネジ棒１２にくびれ部１２ｃを設けるか否かは任意である。
【００１８】
また、連結金具本体１１の左右の両側面１１２Ｌ，１１２Ｒには、図３に示すように、それぞれの一部に上端から底面１１３に向かって切り込みを入れ、かつ、内側に折り曲げて、左右の両側面１１２Ｌ，１１２Ｒそれぞれから連結金具本体１１内に突出し、その最小間隔がセパレータ２先端のネジ部２ｂの外径より小さく、かつ、その先端部によりセパレータ２先端のネジ部２ｂを狭持する一対の側面折り曲げ部１１２Ｌ１，１１２Ｒ１を有する。
【００１９】
そして、図２および図３に示すように、その一対の側面折り曲げ部１１２Ｌ１，１１２Ｒ１と、左右の両側面１１２Ｌ，１１２Ｒと、前側面１１４とにより、セパレータ２先端のナット２ｃを収容するナット収容部１１ａを形成している。
【００２０】
また、連結金具本体１１の前側面１１４には、セパレータ２の軸部２ａの係止溝２ａ１の外径φ１とほぼ同じであるか、わずかに大きく切り欠かれ、セパレータ２の軸部２ａを支持するセパレータ支持溝部１１４Ｃと、そのセパレータ支持溝部１１４Ｃの上部に突出して設けられ、その最小間隔がセパレータ２の軸部２ａの係止溝２ａ１の外径φ１より小さくセパレータ２の抜け止めを行う前側面抜け止め部である一対の突部１１４Ｌ１，１１４Ｒ１とを設けている。なお、本発明では、セパレータ２の軸部２ａに、係止溝２ａ１を設けるか否か任意である。
【００２１】
また、連結金具本体１１の底面１１３には、図２および後述する図４（ｂ）に示すように、水抜き孔１１３ａが形成されている。
【００２２】
ネジ棒１２の他端には、図２および図３に示すように、ネジ部１２ｂが形成されており、図２に示すように、コンクリート型枠板４に形成された通し穴４ａから外側に突出して、図１に示すように、コンクリート型枠板４の外側に設けたフォームタイ６やバタ材７，８を介してコンクリート型枠板４に固定される。
【００２３】
コーン部材１３は、図２等に示すように、プレス加工等により形成され、その内側端１３ａが連結金具本体１１の後側面１１１に接し、外側端１３ｂがコンクリート型枠板４の内面に接して、連結金具本体１１をコンクリート型枠板４に対して所定間隔離すものである。
【００２４】
セパレータ２は、図２および図３に示すように、軸部２ａの両端に、それぞれ、ネジ部２ｂが設けられており、ネジ部２ｂにはナット２ｃが取り付けられている。そして、セパレータ２を連結金具本体１１の上に仮置きし、ハンマー等により叩いて、ナット２ｃを連結金具本体１１のナット収容部１１ａに嵌め込み本置きする場合、このネジ部２ｂが、図２及び図３に示すように、一対の側面折り曲げ部１１２Ｒ１，１１２Ｌ１間に圧入され、その下方空間に嵌め込まれる。
【００２５】
また、前述したように、セパレータ２の軸部２ａとネジ部２ｂの境界部分の外周には、係止溝２ａ１が形成されており、この軸部２ａの係止溝２ａ１が、突部１１４Ｌ１，１１４Ｒ１との間に圧入され、セパレータ支持溝部１１４Ｃ内に嵌め込まれる。        
【００２６】
図４（ａ），（ｂ）は、それぞれ、実施の形態１のコンクリート型枠用セパレータ連結金具１の連結金具本体１１の正面図、平面図の一例を示す図、図５（ａ），（ｂ）は、それぞれ、実施の形態１のコンクリート型枠用セパレータ連結金具１の連結金具本体１１のＢ−Ｂ線断面図、Ｃ−Ｃ線断面図である。
【００２７】
図４（ａ）に示すように、連結金具本体１１の前側面１１４は、中央部分が縦方向にセパレータ２の軸部２ａの係止溝２ａ１の外径φ１とほぼ同じか、わずかに大きく切り欠かれた、セパレータ２の軸部２ａの係止溝２ａ１を支持するセパレータ支持溝部１１４Ｃと、右側前側面１１４Ｒと、左側前側面１１４Ｌとに区分されている。そして、本実施の形態１のコンクリート型枠用セパレータ連結金具１では、図４（ａ）に示すように、右側前側面１１４Ｒと、左側前側面１１４Ｌのそれぞれからセパレータ支持溝部１１４Ｃ中心に向かって突出するほぼ三角形状の突出高さの異なる、すなわちセパレータ支持溝部１１４Ｃ中心方向への突出高さの異なる前側面抜け止め部である一対の突部１１４Ｒ１，１１４Ｌ１を形成している。
【００２８】
ここで、本実施の形態１のコンクリート型枠用セパレータ連結金具１では、突部１１４Ｒ１，１１４Ｌ１間の最小間隔、すなわち突部１１４Ｒ１，１１４Ｌ１の先端間の間隔ｈ２は、セパレータ２の軸部２ａの係止溝２ａ１の外径φ１より小さくしている。
【００２９】
また、図４（ａ），（ｂ）に示すように、連結金具本体１１の左右の両側面１１２Ｒ，１１２Ｌそれぞれの一部に対称に切り込みを入れ、その後、内側に折り曲げて湾曲させ、左右の両側面１１２Ｒ，１１２Ｌそれぞれから連結金具本体１１内に突出し、セパレータ２先端のネジ部２ｂを支持するほぼ対称形状の一対の側面折り曲げ部１１２Ｒ１，１１２Ｌ１を設けている。ここで、側面折り曲げ部１１２Ｒ１，１１２Ｌ１間の最小間隔、すなわちそれらの先端部間の間隔ｈ３は、突部１１４Ｒ１，１１４Ｌ１先端間の間隔ｈ２と同様に、セパレータ２のネジ部２ｂの外径φ２より小さくしている。なお、本発明では、側面折り曲げ部１１２Ｒ１，１１２Ｌの形状は、直線的に折り曲げるだけでなく、湾曲させても勿論よい。また、本発明では、左右の両側面１１２Ｒ，１１２Ｌに設ける一対の側面折り曲げ部１１２Ｒ１，１１２Ｌ１は、左右の両側面１１２Ｒ，１１２Ｌそれぞれの上方から折り曲げずに、左右の両側面１１２Ｒ，１１２Ｌのそれぞれにおいて、縦方向に２本の切り込みと、それらの下端側をつなく切り込みを入れて、その下端側が内側に張り出すように折り曲げた形状でも良い。
【００３０】
ここで、例えば、左右の前側面１１４Ｒ，１１４Ｌの内縁間の距離ｈ１を、８．５ｍｍ、セパレータ２の軸部２ａの係止溝２ａ１の外径φ１を６．２ｍｍ、セパレータ２のネジ部２ｂの最大外径φ２を７．９ｍｍ、軸部２ａの係止溝２ａ１部分以外の外径を６．９ｍｍとする。すると、本実施の形態の場合、右側の突部１１４Ｒ１の突出高さを１．６ｍｍ、左側の突部１１４Ｌ１の突出高さを１．０ｍｍとして、突部１１４Ｒ１，１１４Ｌ１の最小間隔、すなわちそれらの先端部間の間隔ｈ２を、５．９ｍｍとして、セパレータ２の軸部２ａの係止溝２ａ１の外径φ１の６．２ｍｍ以下とする。また、側面折り曲げ部１１２Ｒ１，１１２Ｌ１の最小間隔、すなわちそれらの先端部間の間隔ｈ３は、７．８ｍｍとして、セパレータ２のネジ部２ｂの最大外径φ２の７．９ｍｍ以下とする。これにより、セパレータ２をハンマー等により叩く等して本置きした場合には、突部１１４Ｒ１，１１４Ｌ１と、左右の側面折り曲げ部１１２Ｒ１，１１２Ｌ１とにより上方への抜け止めを図ることができる。
【００３１】
また、本実施の形態１のコンクリート型枠用セパレータ連結金具１では、以上のように側面折り曲げ部１１２Ｒ１，１１２Ｌ１は線対称形状に形成しているので、側面折り曲げ部１１２Ｒ１，１１２Ｌ１先端部間の中心γは、両側面１１２Ｒ，１１２Ｌ間の中心αとほぼ一致しているのに対し、突部１１４Ｒ１の突出高さを、突部１１４Ｌ１の突出高さより高くして、突部１１４Ｒ１，１１４Ｌ１の先端部間の中心β１を、両側面１１２Ｒ，１１２Ｌ間の中心αから偏心させている。なお、図上、αａは、両側面１１２Ｒ，１１２Ｌ間の中心αを通る中心線である。
【００３２】
これにより、セパレータ２両端が、それぞれ側面折り曲げ部１１２Ｒ１，１１２Ｌ１および突部１１４Ｒ１，１１４Ｌ１のそれぞれの隙間ｈ３，ｈ２を、それらの素材の弾性に抗しながら乗り越えて連結金具本体１１内の所定位置に嵌め込まれた状態では、ナット２ｃより外側のセパレータ２先端のネジ部２ｂに対応する両側面１１２Ｒ，１１２Ｌ間の中心αとほぼ同じ中心γを有する側面折り曲げ部１１２Ｒ１，１１２Ｌ１の先端部間の中心に対して、セパレータ２の軸部２ａの係止溝２ａ１に対応する両側面１１２Ｒ，１１２Ｌ間の中心αから偏心した中心βを有する突部１１４Ｒ１，１１４Ｌ１の先端部間の中心が一致しないことになる。
【００３３】
そのため、本実施の形態１のコンクリート型枠用セパレータ連結金具１では、連結金具本体１１に圧入され所定位置に嵌めこまれたセパレータ２が上方へ抜け出ようとした場合、両側面１１２Ｒ，１１２Ｌ間の中心αとほぼ同じ中心γを有する側面折り曲げ部１１２Ｒ１，１１２Ｌ１先端部間と、両側面１１２Ｒ，１１２Ｌ間の中心αから偏心した中心βを有する突部１１４Ｒ１，１１４Ｌ１の先端部間とによりセパレータ２に対し、その軸心に対して直角方向にずれた位置でも係止することになるので、前後に配置された２箇所の係止部が効果的に作用しない従来の支持方法と較べて、より強固にセパレータ２の抜け止めを防止することができる。その結果、コンクリート型枠板４，４間にコンクリートを流し込む際に、バイブレータ等を使用して、バイブレータ等がセパレータ２に当たったとしても、セパレータ２の抜け出しを確実に抑制することができる。
【００３４】
特に、本実施の形態１のコンクリート型枠用セパレータ連結金具１では、右側前側面１１４Ｒに形成された突部１１４Ｒ１の突出高さを、左側前側面１１４Ｌに形成された突部１１４Ｌ１の突出高さより高くして、突部１１４Ｒ１，１１４Ｌ１の先端部間の中心β１を、両側面１１２Ｒ，１１２Ｌ間の中心αから偏心させており、同じコンクリート型枠用セパレータ連結金具１を左右両側のコンクリート型枠板４，４にそれぞれ取り付けると、左側のコンクリート型枠板４の取り付けられたコンクリート型枠用セパレータ連結金具１と、右側のコンクリート型枠板４の取り付けられたコンクリート型枠用セパレータ連結金具１とでは、両側面１１２Ｒ，１１２Ｌ間の中心αに対する、突部１１４Ｒ１，１１４Ｌ１の先端部間の中心β１の位置が逆側に偏心することになり、偏心の度合いがより大きくなるので、この点でも、よりさらに強固にセパレータ２の抜け出しを抑制することが可能となる。
【００３５】
また、本実施の形態では、図４（ａ）に示すように、突部１１４Ｒ１，１１４Ｌ１の先端部は、側面折り曲げ部１１２Ｒ１，１１２Ｌ１の先端部より低い位置になるように設けている。これにより、本実施の形態では、セパレータ２を連結金具本体１１に仮置きした場合、セパレータ２は、両側面１１２Ｒ，１１２Ｌ間の中心αとほぼ同じ中心γを有する側面折り曲げ部１１２Ｒ１，１１２Ｌ１上に仮置きされ、両側面１１２Ｒ，１１２Ｌ間の中心αから偏心した中心βを有する突部１１４Ｒ１，１１４Ｌ１上に仮置きされることはないので、セパレータ２を連結金具本体１１に安定して仮置きすることが可能となる。なお、本発明では、突部１１４Ｒ１，１１４Ｌ１の先端部は、側面折り曲げ部１１２Ｒ１，１１２Ｌ１の先端部より低い位置になるように設けることは、任意であるが、安定した仮置きのことを考慮すると、突部１１４Ｒ１，１１４Ｌ１の先端部は、側面折り曲げ部１１２Ｒ１，１１２Ｌ１の先端部と同じ高さか、側面折り曲げ部１１２Ｒ１，１１２Ｌ１の先端部より低い位置にすることが望ましい。
【００３６】
実施の形態２．
上記実施の形態１では、図４（ａ）に示すように、右側前側面１１４Ｒに形成された突部１１４Ｒ１の突出高さを、左側前側面１１４Ｌに形成された突部１１４Ｌ１の突出高さより高くし、突部１１４Ｒ１，１１４Ｌ１先端間の間隔ｈ２をセパレータ２の軸部２ａの係止溝２ａ１の外径φ１より小さくし、かつ、突部１１４Ｒ１，１１４Ｌ１の先端部間の中心β１を、両側面１１２Ｒ，１１２Ｌ間の中心αから偏心させて説明したが、本発明では、要は、突部１１４Ｒ１，１１４Ｌ１先端間の間隔ｈ２をセパレータ２の軸部２ａの係止溝２ａ１の外径φ１より小さくし、かつ、突部１１４Ｒ１，１１４Ｌ１の先端部間の中心β１が、両側面１１２Ｒ，１１２Ｌ間の中心αから偏心すれば良いので、図４に示す形状の突部１１４Ｒ１，１１４Ｌ１の形状に限られるものではない。
【００３７】
つまり、例えば、図６に示すように、右側前側面１１４Ｒに形成された突部１１４Ｒ２の突出高さを、図４に示す実施の形態１の突部１１４Ｒ１より大きくして、左側前側面１１４Ｌには、突部を形成せずに、突部１１４Ｒ２の先端部と左側前側面１１４Ｌとの間の距離ｈ２を、セパレータ２の軸部２ａの係止溝２ａ１の外径φ１より小さくし、かつ、突部１１４Ｒ２の先端部と左側前側面１１４Ｌとの間の中心β２を、両側面１１２Ｒ，１１２Ｌ間の中心αから偏心させるようにしても勿論よい。
【００３８】
また、例えば、図７に示すように、右側前側面１１４Ｒに形成された突部１１４Ｒ３の突出高さを、左側前側面１１４Ｌに形成された突部１１４Ｌ３の突出高さより大きくして、突部１１４Ｒ３，１１４Ｌ３間の距離ｈ２を、セパレータ２の軸部２ａの係止溝２ａ１の外径φ１より小さくし、かつ、突部１１４Ｒ３，１１４Ｌ３間の中心β３を、両側面１１２Ｒ，１１２Ｌ間の中心αから偏心させつつも、図４に示す実施の形態１の突部１１４Ｒ１，１１４Ｌ１とは異なり、突部１１４Ｒ３，１１４Ｌ３の底辺１１４Ｒ３１，１１４Ｌ３１を水平線とするようにしても勿論良い。
【００３９】
実施の形態３．
上記実施の形態１，２では、図１〜図７に示すように、連結金具本体１１の回転方向とは関係なく、右側前側面１１４Ｒに形成された突部１１４Ｒ１〜１１４Ｒ３の突出高さを、左側前側面１１４Ｌに形成された突部１１４Ｌ１，１１４Ｌ３の突出高さより大きく形成し、突部１１４Ｒ１〜１１４Ｒ３，１１４Ｌ１，１１４Ｌ３間の距離ｈ２を、セパレータ２の軸部２ａの係止溝２ａ１の外径φ１より小さくし、かつ、突部１１４Ｒ１〜１１４Ｒ３，１１４Ｌ１，１１４Ｌ３間の中心β１〜β３を、両側面１１２Ｒ，１１２Ｌ間の中心αから偏心させて説明した。
【００４０】
ここで、コンクリート型枠用セパレータ連結金具１の連結金具本体１１は、図１や図２に示すように、コンクリート型枠４の外側で、ネジ棒１２にフォームタイ６を取付け、図８に示すように、フォームタイ６を矢印Ｄの方向に回転させてコンクリート型枠用セパレータ連結金具１をコンクリート型枠４に取り付けている。そのため、例えば、図９に示すように、Ｄ方向へのフォームタイ６の回転により、連結金具本体１１もＤ方向に供回りして傾くことがある。
【００４１】
そのため、セパレータ２を連結金具本体１１に本置きする際に、連結金具本体１１が傾くと、仮置きしたセパレータ２が簡単に落下したり、仮置きしたセパレータ２をハンマー等により叩いた際に、連結金具本体１１もさらにＤ方向へ回転して、セパレータ２を本置きできない場合がある。特に、連結金具本体１１がさらにＤ方向に回転すると、連結金具本体１１の取り付けが緩むことになるので、連結金具本体１１がＤ方向とは逆のＥ方向に戻すことができると、連結金具本体１１の取り付けが強固になり、連結金具本体１１の取り付けの点でも望ましい。
【００４２】
そこで、本実施の形態３では、図８および図９に示すように、前側面支持部である突部１１４Ｒ，１１４Ｌは、突部１１４Ｒ，１１４Ｌ部の先端間の中心β４が、左右の両側面１１２Ｒ，１１２Ｌ間の中心αに対し、連結金具本体３の回転方向Ｄ側に偏心するように、当該回転方向Ｄ側とは反対側となる突部１１４Ｌ４側の突出高さを高くする。
【００４３】
つまり、図８に示すように、ネジ棒１２に対するフォームタイ６の回転方向および連結金具本体３の供回り方向が、Ｄ方向の場合には、突部１１４Ｒ４，１１４Ｌ４の先端部間の中心β４が、左右の両側面１１２Ｒ，１１２Ｌ間αの中心に対し、Ｄ方向側に位置するように、突部１１４Ｒ４より、突部１１４Ｌ４の形状を大きくして、突出高さを大きくする。
【００４４】
その結果、図９に示すように、側面折り曲げ部１１２Ｒ１，１１２Ｌ１先端部間に仮置きされたセパレータ２を下方にハンマー等により叩いて本置きする場合、セパレータ２は、両側面１１２Ｒ，１１２Ｌ間の中心αの仮置き状態から突部１１４Ｒ１，１１４Ｌ１の先端部間に移動していくので、形状の小さい突部１１４Ｒ４より先に、形状の大きい突部１１４Ｌ４にあたる。すると、ハンマー等により叩かれたセパレータ２は、形状の大きい突部１１４Ｌ４を介して、連結金具本体３全体をＤ方向とは逆方向のＥ方向に回転するように押すことになる。これにより、連結金具本体１１が締め付け方向のＥ方向に回転して、連結金具本体１１がより強固にコンクリート型枠４に取り付けられることになり、連結金具本体１１の取り付けがより強固になることを期待できる。
【００４５】
なお、本実施の形態３は、突部１１４Ｒ４，１１４Ｌ４部の先端間の中心β４が、左右の両側面１１２Ｒ，１１２Ｌ間の中心αに対し、連結金具本体３の回転方向Ｄ側に偏心するように、当該回転方向Ｄ側とは反対側となる突部１１４Ｌ４の突出高さを大きくすれば良いので、例えば、図１０（ａ）に示すように、右側前側面１１４Ｒには、突部を形成せずに、左側の突部１１４Ｌ５の先端部と右側前側面１１４Ｒ内縁間の距離ｈ２を、セパレータ２の軸部２ａの係止溝２ａ１の外径φ１より小さくし、かつ、左側の突部１１４Ｌ５の先端部と右側前側面１１４Ｒ内縁間の中心を、両側面１１２Ｒ，１１２Ｌ間の中心αから偏心させるようにしても勿論よいし、さらには、図１０（ｂ）に示すように、左側前側面１１４Ｌに形成された突部１１４Ｌ６の突出高さを、右側前側面１１４Ｒに形成された突部１１４Ｒ６の突出高さより高くしつつも、突部１１４Ｒ６，１１４Ｌ６の底辺１１４Ｒ６１，１１４Ｌ６１を水平線とするようにしても勿論良い。
【００４６】
従って、実施の形態３のコンクリート型枠用セパレータ連結金具１によれば、上記実施の形態１，２のコンクリート型枠用セパレータ連結金具１，２の効果だけでなく、さらに、連結金具本体１１がＤ方向に供回り等して傾斜して取り付けられていても、セパレータ２を打ち込む際に、連結金具本体１１を傾斜がなくなるようにＥ方向に戻す力をかけることが可能となり、連結金具本体１１の取り付けがより強固になるという効果が得られる。
【符号の説明】
【００４７】
１  コンクリート型枠用セパレータ連結金具
１１  連結金具本体
１１ａ  ナット収容部
１１１  外側面
１１２Ｒ  右側面
１１２Ｌ  左側面
１１２Ｒ１，１１２Ｌ１  側面折り曲げ部
１１３  底面
１１４  前側面
１１４Ｒ１〜６，１１４Ｌ１〜６  突部（前側面抜け止め部）
１１４Ｃ  セパレータ支持溝部
１２  ネジ棒
１３  コーン部材
２  セパレータ
２ａ  軸部
２ｂ  ネジ部
２ｃ  ナット
４ ，４  コンクリート型枠板
５  鉄筋
６  フォームタイ（型枠締付金具）
７，８  バタ材
【図１】
2012117239.tif 000003
【図２】
2012117239.tif 000004
【図３】
2012117239.tif 000005
【図４】
2012117239.tif 000006
【図５】
2012117239.tif 000007
【図６】
2012117239.tif 000008
【図７】
2012117239.tif 000009
【図８】
2012117239.tif 000010
【図９】
2012117239.tif 000011
【図１０】
2012117239.tif 000012